(57)【要約】【課題】マルチキャストのためのプロトコルを必要としない簡易かつ信頼度の高いクロック同期システム及びクロック同期方法を実現する。【解決手段】ネットワークを介して通信される主装置と遠隔装置間のクロック同期の手段として同期パケットを使用するクロック同期システムにおいて、主装置は、同一クロック源をもとにクロック同期パケットを生成するパケット送出部とネットワークとのインタフェースを有し、遠隔装置は、パケット送出部と１対１に対応して設けられ、他の遠隔装置とクロックを送信又は受信するためのインタフェースとネットワークとのインタフェースを有する。【選択図】　　　図１
2004080229.tif 000002
【特許請求の範囲】
【請求項１】
ネットワークを介して通信される主装置と遠隔装置間のクロック同期の手段として同期パケットを使用するクロック同期システムにおいて、
前記主装置は、同一クロック源をもとに前記クロック同期パケットを生成するパケット送出部と前記ネットワークとのインタフェースを有し、
前記遠隔装置は、前記パケット送出部と１対１に対応して設けられ、他の遠隔装置とクロックを送信又は受信するためのインタフェースと前記ネットワークとのインタフェースを有することを特徴とするクロック同期システム。
【請求項２】
前記クロック同期パケットは、ユニキャストを用いて送受されることを特徴とする請求項１に記載のクロック同期システム。
【請求項３】
前記遠隔装置は、自装置がマスタとなった場合に前記同期パケットによりクロックを抽出する手段と、スレーブとなった場合に他の遠隔装置からクロックを入力する手段とを有し、
前記主装置からマスタ又はスレーブの設定を行うことにより、前記何れかのクロックを出力することを特徴とする請求項１又は２に記載のクロック同期システム。
【請求項４】
前記遠隔装置は、他の遠隔装置から入力されたクロックの断又は復旧を検出する検出手段と、
前記クロック抽出手段より抽出されたクロックと前記他の遠隔装置から入力されたクロックとを前記検出手段により検出されたクロック断又は復旧の情報に従って切替え出力する切替手段とを有することを特徴とする請求項３に記載のクロック同期システム。
【請求項５】
ネットワークを介して通信される主装置と遠隔装置間のクロック同期の手段として同期パケットを使用するクロック同期システムにおいて前記遠隔装置に設けられるクロック同期装置であって、
自装置がマスタとなった場合に前記同期パケットによりクロックを抽出するクロック抽出手段と、
自装置がスレーブとなった場合に他のクロック同期装置からクロックを入力するクロック入力手段と、
前記クロック抽出手段により抽出されたクロック及び前記クロック入力手段により入力されたクロックを切替出力する切替手段と、
前記主装置から受信したマスタ／スレーブ設定情報及び又は前記クロック入力手段からのクロックの有効／無効情報から前記切替手段を制御する切替制御手段と、
前記切替出力されたクロックを前記遠隔装置内及び又は他のクロック同期装置に出力するクロック出力手段とを有することを特徴とするクロック抽出装置。
【請求項６】
他のクロック同期装置から前記クロック入力手段を介して入力されたクロックの断又は復旧を検出する検出手段を有し、
前記切替制御手段は、前記検出手段からのクロック断又は復旧の情報に従って前記切替手段を制御することを特徴とする請求項５に記載のクロック抽出装置。
【請求項７】
ネットワークを介して通信される主装置と遠隔装置間のクロック同期の手段として同期パケットを使用するクロック同期方法において、
前記主装置からの制御データパケットにより前記遠隔装置をマスタ設定とし、
前記遠隔装置内の有線クロック有効スイッチをＯＦＦとし、
前記遠隔装置内のパケット処理部からのマスタ／スレーブ選択信号によりマスタを選択し、
前記遠隔装置は、前記マスタ設定により、１対１で対応する前記主装置の同期パケット送出部より送出されるユニキャスト同期パケットから抽出されるクロックに同期して動作することを特徴とするクロック同期方法。
【請求項８】
ネットワークを介して通信される主装置と遠隔装置間のクロック同期の手段として同期パケットを使用するクロック同期方法において、
複数の前記遠隔装置の内の少なくとも１つの遠隔装置は、主装置からの制御データパケットによりマスタに設定され、有線クロック有効スイッチをＯＦＦにすると共に、パケット処理部からのマスタ／スレーブ選択信号によりマスタを選択し、前記マスタ設定により、１対１で対応する前記主装置の同期パケット送出部より送出されるユニキャスト同期パケットから抽出されるクロックで同期して動作し、
前記マスタ設定された遠隔装置以外の遠隔装置は、前記主装置からの制御データパケットによりスレーブに設定し、有線クロック有効スイッチをＯＮにすると共に、パケット処理部からのマスタ／スレーブ選択信号によりスレーブを選択し、前記マスタ設定された遠隔装置又は前記スレーブ設定された遠隔装置より入力されたクロックに同期して動作することを特徴とするクロック同期方法。
【請求項９】
クロック断／復旧検出回路でクロック断を検出した場合、前記パケット処理部で前記スレーブ設定された遠隔装置をマスタに設定し、スレーブ状態として前記マスタ設定された遠隔装置又は前記スレーブ設定された遠隔装置より入力されたクロックを出力していたセレクタを同期パケットより抽出したクロックを出力するよう制御し、
クロック復旧が検出された場合、前記パケット処理部で、前記マスタ設定された遠隔装置をスレーブに設定し、前記マスタ設定された遠隔装置又は前記スレーブ設定された遠隔装置より入力されたクロックを出力していたセレクタを、前記同期パケットより抽出したクロックを出力するよう制御することを特徴とする請求項８に記載のクロック同期方法。
【発明の詳細な説明】
【０００１】
【発明の属する技術分野】
本発明は、ネットワークを介して接続される主装置と遠隔装置からなる通信システムにおいて、遠隔装置間のクロック同期を同期パケットのユニキャストにより行うクロック同期システム及びクロック同期方法に関し、特に、ＶｏＩＰ（Ｖｏｉｃｅ　ｏｖｅｒ　Ｉｎｔｅｒｎｅｔ　Ｐｒｏｔｏｃｏｌ）を用いた装置に適用して好適なものである。
【０００２】
【従来の技術】
従来、ＶｏＩＰにおけるクロック同期を、同期パケットを用いて行う場合、マルチキャストのＵＤＰパケットにて行われていた。また、マルチキャストを行うために、ＩＧＭＰ（　Ｉｎｔｅｒｎｅｔ　Ｇｒｏｕｐ　Ｍａｎａｇｅｍｅｎｔ　Ｐｒｏｔｏｃｏｌ）というプロトコルが用いられていた。このプロトコルは、ＩＰマルチキャストを実現するためのプロトコルで、ＲＦＣ１１１２に規定されている。ＩＰマルチキャストを行うには、ＬＡＮ上にあるＩＰマルチキャストグループのメンバーとなるホストと、ＩＰマルチキャストに対応したルータが互いに、メンバーシップに関するステータス情報を交換する。個々のホストからは、自分がマルチキャスト可能なホストである旨の通知が発せられ、これに対してＩＰマルチキャスト対応ルータが定期的にポーリングを行うことで、どのホストがどのマルチキャストグループに属しているかを把握する。
【０００３】
図５は、マルチキャスト通信システムの一例で、クロック源１１０とこのクロック源１１０をもとに、クロック同期パケットを送出する、クロック同期パケット送出部１１１を有する主装置１００、マルチキャスト対応スイッチまたはルータであるＬＡＮＳＷ２００、およびＬＡＮＳＷ２００からマルチキャストされたクロック同期パケットを受信するＩＰ端末４００〜４０ｎから構成される。
【０００４】
ＩＧＭＰの動作概要を、図５を用いて説明すると、まず、ＩＧＭＰマスタにマルチキャストグループを登録する。図５では、ＬＡＮＳＷ２００がマスタとなり、ＩＰ端末４００〜４０ｎがスレーブとなる。
【０００５】
マスター・スレーブ間の通信では、スレーブ（ＩＰ端末）は、自分がそのマルチキャストグループであるか否かをマスタ（ＬＡＮＳＷ２００）に登録する。
【０００６】
マスタ（ＬＡＮＳＷ２００）からマルチキャストパケット受信したスレーブ（ＩＰ端末）は、受信したマルチキャストパケットが、自分が登録しているマルチキャストグループ宛か否かを判断し、自分がが登録しているマルチキャストグループ宛の場合は受信する。
【０００７】
このように、ＩＧＭＰを用いることにより、マルチキャストグループに参加しているホストの存在をルーターが把握でき，ネットワークに不必要なマルチキャストパケットを送信することを防ぐことができる。
【０００８】
【発明が解決しようとする課題】
しかしながら、マルチキャストパケットでクロック同期する場合、以下のような問題があった。
【０００９】
すなわち、マルチキャストを行うために、ＩＧＭＰというプロトコルが必要なため、これを備えたルータやＳＷを用意する必要がある。
【００１０】
また、マルチキャストパケットを受ける装置側もＩＧＭＰを実装しなければならない。
【００１１】
さらに、１００ＢＡＳＥ−Ｔ等のスター型ＬＡＮの場合、マルチキャストパケットの送出元ではマルチキャストパケットをコピーする必要があるが、この場合コピー時間が必要となるため各装置間でゆらぎが発生する。
【００１２】
本発明はかかる点に鑑みてなされたものであり、簡易かつ信頼度の高いクロック同期システム及びクロック同期方法を提供することを目的とする。
【００１３】
【課題を解決するための手段】
かかる課題を解決するため、本発明は、ネットワークを介して通信される主装置と遠隔装置間のクロック同期の手段として同期パケットを使用するクロック同期システムにおいて、主装置は、同一クロック源をもとにクロック同期パケットを生成するパケット送出部とネットワークとのインタフェースを有し、遠隔装置は、パケット送出部と１対１に対応して設けられ、他の遠隔装置とクロックを送信又は受信するためのインタフェースとネットワークとのインタフェースを有する。
【００１４】
また、遠隔装置は、自装置がマスタとなった場合に同期パケットによりクロックを抽出する手段と、スレーブとなった場合に他の遠隔装置からクロックを入力する手段とを有し、主装置からマスタ又はスレーブの設定を行うことにより、何れかのクロックを出力する。
【００１５】
さらに、遠隔装置は、他の遠隔装置から入力されたクロックの断又は復旧を検出する検出手段と、クロック抽出手段より抽出されたクロックと他の遠隔装置から入力されたクロックとを検出手段により検出されたクロック断又は復旧の情報に従って切替え出力する切替手段とを有する。
【００１６】
【発明の実施の形態】
（１）実施形態
以下、本発明による実施形態を図面を参照しながら詳述する。
【００１７】
（１−１）実施形態のクロック同期システムの構成
図１は、この発明のクロック同期システムの基本構成を示している。
【００１８】
クロック同期システム１０は、クロック同期パケット送出部３０〜３ｎおよびクロック源４０を有する主装置２０、ＬＡＮＳＷ５０、ＩＰ端末６０〜６ｎおよび有線クロック接続７０〜７ｎにより構成される。
【００１９】
主装置２０は、例えば、ＩＰ−ＰＢＸが想定される。
【００２０】
クロック同期パケット送出部３０〜３ｎは、ＩＰ端末６０〜６ｎに対応して設けられる。各パケット送出部はＬＡＮインタフェースを有し、ＬＡＮネットワークに接続される。ＬＡＮＳＷ５０としては、例えば、ルータ等が想定される。このクロック同期パケット送出部３０〜３ｎは、それぞれクロック源４０から直接入力されたクロックで同期パケットを生成する。したがって、クロック同期パケット送出部３０〜３ｎから送出される同期パケットはすべて同期している。また、クロック同期パケット送出部３０〜３ｎから送出されるパケットは、すべて特定の相手と１対１通信を行うユニキャストパケットであり、対応するＩＰ端末６０〜６ｎをアドレス指定して送出される。
【００２１】
クロック源４０は、例えば、水晶発振子等から構成される基準クロック生成手段である。
【００２２】
ＩＰ端末６０〜６ｎは、同期パケットを受取りその受信タイミングからクロック抽出する。実施形態では、ＩＰ端末６０〜６ｎは、抽出したクロックを出力する有線クロック出力インタフェースと、有線クロック接続する場合に、ＩＰ端末６０〜６ｎ間でカスケード接続するための有線クロック入力インタフェースを有する。
【００２３】
図２にＩＰ端末６０〜６ｎのクロック抽出回路のブロック図を示す。
【００２４】
従来の同期パケット処理部は、例えば、ＬＡＮインタフェース３０３、パケット処理部３０４、クロック源３０５およびＰＬＬ回路３０６からなる。ＬＡＮインタフェース３０３を介して同期パケットを受信したパケット処理部３０４は、同期パケットタイミング信号を生成する。ＰＬＬ回路３０６は、同期パケットタイミング信号およびクロック源３０５からの基準クロックからクロックを抽出する。
【００２５】
有線インタフェース信号変換部３０７および３１０は、例えば、ＥＩＡ（米国電子工業会）が規定する、ＲＳ−２３２Ｃ上位互換の高速シリアルインタフェースであるＲＳ−４２２やＲＳ−４２２の改良型であるＲＳ−４８５で規定されるドライバー／レシーバで構成される。
【００２６】
クロック断／復旧検出部３０８は、例えば、単安定マルチバイブレータで構成され、クロック信号が入力された場合、ある一定時間ＨＩＧＨ状態になる以外は、ＬＯＷ状態であることを監視することで、クロック断／復旧を検出する。
【００２７】
有線クロック有効スイッチ３０１は、有線クロック接続でＩＰ端末６０〜６ｎが動作する場合はＯＮとし、同期パケット送出部３０〜３ｎからの同期パケットのみでＩＰ端末６０〜６ｎが動作する場合はＯＦＦとする。
【００２８】
ＡＮＤ回路３０２は、有線クロック有効スイッチ３０１からの出力と、有線クロック断／復旧検出部３０８およびパケット処理部３０４からのマスタ／スレーブ選択信号によりクロック選択信号を生成する。
【００２９】
セレクタ３０９は、クロック選択信号により、同期パケットから抽出したクロック又は他のＩＰ端末より入力した（カスケードした）有線クロックの何れを有線クロック出力インタフェースおよびＩＰ端末内部へ出力するかを選択する。
【００３０】
（１−２）実施形態の動作
実施形態の動作を説明する。
【００３１】
以下、クロック同期パケット送出部３０〜３ｎからの同期パケットでＩＰ端末６０〜６ｎが同期する場合、ＩＰ端末６０〜６ｎがカスケード接続された上位側からの有線クロックに同期する場合、および同期が外れた場合と復旧した場合の動作について各々説明する。
【００３２】
クロック同期パケット送出部３０〜３ｎからの同期パケットでＩＰ端末６０〜６ｎが同期する場合は、まず、ＩＰ端末６０〜６ｎをすべてマスタ設定とする。マスタ設定の方法としては、ＩＰ端末６０〜６ｎの起動時に主装置２０から図３示すＩＰ端末制御データパケットを受信することにより設定する。この場合、データとしては制御の確実性を考慮してＴＣＰデータを使用する。具体的には、図３に示すように、ＴＣＰデータは、識別ヘッダおよび同期クロック設定要求オーダを有する。識別ヘッダは、各１バイトのＳＩＺＥ、ＴＹＰＥ、ＲＥＳＥＲＶＥの情報から構成される。この情報の内、ＴＹＰＥ＝３に設定されている場合、ＩＰ端末制御オーダとなる。
【００３３】
一方、同期クロック設定要求オーダは、１バイトのＳＩＺＥ、１バイトのＣＯＤＥ、１ビットのクロックマスタ情報、１ビットのパケット種別および１ビットのクロック送出種別の各情報から構成される。各情報は、ＳＩＺＥ＝４、ＣＯＤＥ＝０７、マスタクロック情報はマスタを示す１に、パケット種別はユニキャストを示す０に、クロック送出種別はパケット同期を示す０にそれぞれ設定する。
【００３４】
次に、有線クロック有効スイッチをＯＦＦにすると共に、パケット処理部３０４からのマスタ／スレーブ選択信号によりマスタを選択し、同期パケットから抽出したクロックをＩＰ端末６０〜６ｎ内へ送出するようセレクタ３０９を制御する。
【００３５】
次に、ＩＰ端末６０〜６ｎは、上述のマスタ設定により、１対１で対応する主装置２０の同期パケット送出部３０〜３ｎより送出されるユニキャスト同期パケットから抽出されるクロックで同期して動作する。具体的には、まず主装置２０内のクロック同期パケット送出部３０〜３ｎにて、クロック源４０をもとに同期パケットを生成する。同期パケットは、図４に示す通り、ＵＤＰデータ内に構成され、ＵＤＰデータは、識別ヘッダおよび同期パケット制御オーダからなる。識別ヘッダは、各１バイトのＳＩＺＥ、ＴＹＰＥおよびＲＥＳＥＲＶＥにより構成される。ここで、ＴＹＰＥ＝１に設定することにより、クロック同期パケット送出部３０〜３ｎから送出されるパケットは同期パケットととなる。上述の通り、ＩＰ端末６０〜６ｎは、マスタ設定となっていることから、クロック同期パケット送出部３０〜３ｎから送出される同期パケットは、ユニキャストによりＬＡＮＳＷ５０を介してＩＰ端末６０〜６ｎで受信される。
【００３６】
ＩＰ端末６０〜６ｎで受信された同期パケットは、ＩＰ端末６０〜６ｎ内のＩＰ端末同期クロック部のＬＡＮインタフェース３０３を介してパケット処理部３０４に入力され、同期パケットタイミング信号が生成される。この同期パケットタイミング信号およびクロック源３０５より供給される基準クロックよりＰＬＬ回路３０６にて自ＩＰ端末を動作させる同期クロックを抽出する。
【００３７】
そして、このＰＬＬ回路３０６より供給される同期クロックによりＩＰ端末６０〜６ｎは動作する。
【００３８】
次に、ＩＰ端末６０〜６ｎが有線クロック接続７０〜７ｎにより供給される有線接続クロックにより動作する場合を説明する。
【００３９】
この場合、有線接続されたＩＰ端末６０〜６ｎの内、最低１つがマスタとなる。本実施形態では、ＩＰ端末６０がマスタとなり、他のＩＰ端末がスレーブとなる場合について説明する。
【００４０】
まず、ＩＰ端末６０〜６ｎのマスタ／スレーブを設定する。マスタ／スレーブ設定は、主装置２０の設定データ（局データ）によりクロック同期パケット送出部３０〜３ｎからのＩＰ端末制御データパケットでＩＰ端末６０〜６ｎに通知することで行われる。ＩＰ端末６０のマスタ設定は、ＩＰ端末起動時に主装置２０からＴＣＰを使用したＩＰ端末制御データパケットをＩＰ端末６０〜６ｎで受信してマスタに設定する。図３に示すように、識別ヘッダの情報の内、ＴＹＰＥ＝３とし、ＩＰ端末制御オーダを設定する。同期クロック設定要求オーダの情報は、ＳＩＺＥ＝４、ＣＯＤＥ＝０７、マスタクロック情報はマスタを示す１に、パケット種別はユニキャストを示す０に、クロック送出種別はパケット同期を示す０にそれぞれ設定する。
【００４１】
一方、ＩＰ端末６０以外のＩＰ端末のスレーブ設定は、マスタ設定同様、ＩＰ端末起動時に主装置２０からＴＣＰを使用したＩＰ端末制御データパケットをＩＰ端末６０〜６ｎで受信してスレーブに設定する。スレーブ設定の場合は、図３に示すように、識別ヘッダの情報の内、ＴＹＰＥ＝３とし、ＩＰ端末制御オーダを設定する。同期クロック設定要求オーダの情報は、ＳＩＺＥ＝４、ＣＯＤＥ＝０７、マスタクロック情報はスレーブを示す０に、パケット種別はユニキャストを示す０に、クロック送出種別はパケット同期を示す０にそれぞれ設定する。
【００４２】
次に、ＩＰ端末６０については、有線クロック有効スイッチをＯＦＦにすると共に、パケット処理部３０４からのマスタ／スレーブ選択信号によりマスタを選択し、同期パケットから抽出したクロックをＩＰ端末６０〜６ｎ内へ送出するようセレクタ３０９を制御する。ＩＰ端末６０以外のＩＰ端末については、有線クロック有効スイッチをＯＮにすると共に、パケット処理部３０４からのマスタ／スレーブ選択信号によりスレーブを選択し、有線クロック入力インタフェースより入力したクロックをＩＰ端末６０〜６ｎ内および有線クロック出力インタフェースに送出するようにセレクタ３０９を制御する。
【００４３】
次に、ＩＰ端末６０は、上述のマスタ設定により、１対１で対応する主装置２０の同期パケット送出部３０より送出されるユニキャスト同期パケットから抽出されるクロックで同期して動作する。具体的には、まず主装置２０内のクロック同期パケット送出部３０にて、クロック源４０をもとに同期パケットを生成する。同期パケットは、図４に示す通りＵＤＰデータ内に構成され、ＵＤＰデータは、識別ヘッダおよび同期パケット制御オーダからなる。識別ヘッダは、各１バイトのＳＩＺＥ、ＴＹＰＥおよびＲＥＳＥＲＶＥにより構成される。ここで、ＴＹＰＥ＝１に設定することにより、クロック同期パケット送出部３０から送出されるパケットは同期パケットととなる。上述の通り、ＩＰ端末６０は、マスタ設定となっていることから、クロック同期パケット送出部３０から送出される同期パケットは、ユニキャストによりＬＡＮＳＷ５０を介してＩＰ端末６０で受信される。
【００４４】
ＩＰ端末６０で受信された同期パケットは、ＩＰ端末６０内のＩＰ端末同期クロック部のＬＡＮインタフェース３０３を介してパケット処理部３０４に入力され、同期パケットタイミング信号が生成される。この同期パケットタイミング信号およびクロック源３０５より供給される基準クロックよりＰＬＬ回路３０６にて自ＩＰ端末を動作させる同期クロックを抽出する。
【００４５】
そして、このＰＬＬ回路３０６より供給される同期クロックによりＩＰ端末６０〜６ｎは動作する。
【００４６】
一方、ＩＰ端末６０以外のＩＰ端末については、有線クロック接続されたマスタ設定の他のＩＰ端末より入力されたクロックにより動作する。なお、スレーブ設定のＩＰ端末に対しては主装置２０のクロック同期パケット送出部より同期パケットは送出されない。
【００４７】
最後に、スレーブのＩＰ端末においてカスケード接続された上位のＩＰ端末から有線クロックが断した場合の動作についてついて説明する。上位のＩＰ端末から有線クロックが断した場合、図１に示すクロック断／復旧検出回路３０８でクロック断が検出され、ＩＰ端末内のパケット処理部３０４でＩＰ端末をマスタに設定する。
【００４８】
具体的には、例えば、クロック断／復旧検出部３０８内の単安定マルチバイブレータにより、入力されていたクロック信号が、ある一定時間ＬＯＷ状態であることを監視することで、クロック断を検出する。クロック断が検出された場合、クロック断／復旧検出部３０８よりクロック断検出信号をパケット処理部に送出する。クロック断検出信号を受信したパケット処理部３０４は、スレーブ状態として有線クロック入力インタフェースより入力されたクロックを出力していたセレクタ３０９を同期パケットより抽出したクロックを出力するように制御する。この場合、マスタへの設定変更は、クロック断があった場合、基本的に無条件に行われるものとするが、切替条件を設定することにより切替の有無を判断することも可能である。
【００４９】
クロックが復旧した場合も、例えば、クロック断／復旧検出部３０８内の単安定マルチバイブレータにより、入力されていたクロック信号が、ある一定時間ＨＩＧＨ状態となったことを監視することで、クロック復旧を検出する。クロック復旧が検出された場合、クロック断／復旧検出部３０８よりクロック復旧検出信号をパケット処理部に送出する。クロック復旧検出信号を受信したパケット処理部３０４は、マスタ状態として、同期パケットより抽出したクロックを出力していたセレクタ３０９を有線クロック入力インタフェースより入力されたクロックを出力するように制御する。この場合、スレーブへの設定変更は、クロック復旧があった場合、基本的に無条件に行われるものとするが、切替条件を設定することにより切替の有無を判断することも可能である。
【００５０】
（１−３）実施形態の効果
以上説明した実施形態によれば、マルチキャストではなくユニキャストにてクロック同期パケットを送出するため、ＩＧＭＰのような特殊なプロトコルをネットワークで用意する必要がなく、ＶｏＩＰを行ううえでの必要最低限のＬＡＮ環境でクロック同期が可能である。
【００５１】
また、クロック同期パケット送出部とＩＰ端末とが１対１に対応しているため、パケット送出部でのコピーが発生せず、ゆらぎを抑えられる。
【００５２】
また、有線インタフェースのカスケード接続により、ＩＰ端末間のクロック同期の精度を上げることができる。
【００５３】
また、有線インタフェースのカスケード接続により、ＬＡＮネットワーク障害が発生してもマスタＰＬＬの自走によりカスケードされているＩＰ端末間でのクロック同期が保証される。
【００５４】
そして、有線クロック同期時にスレーブのＩＰ端末側でクロック断検出することでマスタに遷移することにより、有線の障害時もＩＰ端末内部はクロック復旧できる。
【００５５】
（２）他の実施形態
上記各実施形態の説明においても、種々の変形実施形態について言及したが、以下に例示するような変形実施形態を挙げることができる。
【００５６】
上記実施形態において、マスタ／スレーブの設定は、主装置２０内のクロック同期パケット送出部３０〜３ｎからの制御パケットにより行われたが、ネットワーク上の図示しない管理装置等からの指示によるものでも良い。
【００５７】
また、有線クロック接続を用いる場合、マスタ設定されたＩＰ端末よりカスケード接続によりスレーブ設定されたＩＰ端末にクロックが供給されたが、マスタ設定ＩＰ端末より直接スレーブ設定された各ＩＰ端末にクロックを供給しても良い。
【００５８】
【発明の効果】
以上のように、本発明によれば、ネットワークを介して通信される主装置と遠隔装置間のクロック同期の手段として同期パケットを使用するクロック同期システムにおいて、主装置は、同一クロック源をもとにクロック同期パケットを生成するパケット送出部とネットワークとのインタフェースを有し、遠隔装置は、パケット送出部と１対１に対応して設けられ、他の遠隔装置とクロックを送信又は受信するためのインタフェースとネットワークとのインタフェースを有するようにしたので、マルチキャストのためのプロトコルを必要としない簡易かつ信頼度の高いクロック同期システム及びクロック同期方法を実現することができる。
【図面の簡単な説明】
【図１】実施形態のクロック同期システムを示すブロック図である。
【図２】実施形態のクロック抽出回路の構成を示す図である。
【図３】実施形態の同期パケットの構成を示す図である。
【図４】実施形態のＩＰ端末制御データパケットの構成を示す図である。
【図５】従来のクロック同期システムの構成を示すブロック図である。
【符号の説明】
１０…クロック同期システム、２０…主装置、３０〜３ｎ…クロック同期パケット送出部、４０…クロック源、５０…ＬＡＮＳＷ、６０〜６ｎ…ＩＰ端末装置、７０〜７ｎ…有線クロック接続、３０１…有線クロック有効スイッチ、３０２…ＡＮＤ回路、３０３…ＬＡＮインタフェース、３０４…パケット処理部、３０５…クロック源、３０６…ＰＬＬ回路、３０７、３１０…有線インタフェース信号変換部、３０８…クロック断／復旧検出部、３０９…セレクタ。
【図１】
2004080229.tif 000003
【図２】
2004080229.tif 000004
【図３】
2004080229.tif 000005
【図４】
2004080229.tif 000006
【図５】
2004080229.tif 000007